(57)【要約】【課題】駆動トランジスタのしきい値電圧にかかわらず均一な輝度の映像を表示できるようにした画素を提供する。【解決手段】カソード電極が第２電源に接続される有機発光ダイオードと、前記第２電源に流れる電流量を制御する第１トランジスタと、ｉ（ｉは自然数）番目の走査線に走査信号が供給されたときにターンオンされる第２トランジスタと、ｉ＋１番目の走査線に走査信号が供給されたときにターンオンされる第３トランジスタと、前記ｉ番目の走査線に前記走査信号が供給されたときにターンオンされる第４トランジスタと、制御線に制御信号が供給されたときにターンオンされる第５トランジスタと、前記第２トランジスタ及び第３トランジスタの共通ノードと前記有機発光ダイオードのアノード電極との間に接続される第１キャパシタと、前記共通ノードと前記第１トランジスタのゲート電極との間に接続される第２キャパシタとを備える。【選択図】図２
2010250260.tif 000002
【特許請求の範囲】
【請求項１】
カソード電極が第２電源に接続される有機発光ダイオードと、
第１電源から前記有機発光ダイオードを経由して前記第２電源に流れる電流量を制御する第１トランジスタと、
データ線に接続され、ｉ（ｉは自然数）番目の走査線に走査信号が供給されたときにターンオンされる第２トランジスタと、
前記第２トランジスタと前記第１トランジスタのゲート電極との間に接続され、ｉ＋１番目の走査線に走査信号が供給されたときにターンオンされる第３トランジスタと、
前記第１トランジスタのゲート電極と基準電源との間に接続され、前記ｉ番目の走査線に前記走査信号が供給されたときにターンオンされる第４トランジスタと、
前記有機発光ダイオードのアノード電極と初期電源との間に接続され、制御線に制御信号が供給されたときにターンオンされる第５トランジスタと、
前記第２トランジスタ及び第３トランジスタの共通ノードと前記有機発光ダイオードのアノード電極との間に接続される第１キャパシタと、
前記共通ノードと前記第１トランジスタのゲート電極との間に接続される第２キャパシタとを備えることを特徴とする画素。
【請求項２】
前記第５トランジスタは、前記第２トランジスタがターンオンされる期間のうちの一部の期間においてターンオンされることを特徴とする請求項１に記載の画素。
【請求項３】
前記第５トランジスタは、前記第２トランジスタと同時にターンオンされることを特徴とする請求項２に記載の画素。
【請求項４】
前記基準電源は、前記初期電源より高い電圧に設定されることを特徴とする請求項１に記載の画素。
【請求項５】
走査線に走査信号を順次供給し、制御線に制御信号を順次供給するための走査駆動部と、
データ線に前記走査信号と同期するようにデータ信号を供給するためのデータ駆動部と、
前記走査線、制御線、及びデータ線の交差部に位置する画素を備え、
ｉ（ｉは自然数）番目の水平ラインに位置する前記画素は、
カソード電極が第２電源に接続される有機発光ダイオードと、
第１電源から前記有機発光ダイオードを経由して前記第２電源に流れる電流量を制御する第１トランジスタと、
データ線に接続され、ｉ番目の走査線に前記走査信号が供給されたときにターンオンされる第２トランジスタと、
前記第２トランジスタと前記第１トランジスタのゲート電極との間に接続され、ｉ＋１番目の走査線に前記走査信号が供給されたときにターンオンされる第３トランジスタと、
前記第１トランジスタのゲート電極と基準電源との間に接続され、前記ｉ番目の走査線に前記走査信号が供給されたときにターンオンされる第４トランジスタと、
前記有機発光ダイオードのアノード電極と初期電源との間に接続され、ｉ番目の制御線に前記制御信号が供給されたときにターンオンされる第５トランジスタと、
前記第２トランジスタ及び第３トランジスタの共通ノードと前記有機発光ダイオードのアノード電極との間に接続される第１キャパシタと、
前記共通ノードと前記第１トランジスタのゲート電極との間に接続される第２キャパシタとを備えることを特徴とする有機電界発光表示装置。
【請求項６】
前記データ信号の電圧は、前記基準電源と同一または高い電圧に設定されることを特徴とする請求項５に記載の有機電界発光表示装置。
【請求項７】
前記初期電源は、前記基準電源から前記第１トランジスタのしきい値電圧を減じた電圧より低い電圧に設定されることを特徴とする請求項５に記載の有機電界発光表示装置。
【請求項８】
前記初期電源は、前記有機発光ダイオードがオフ可能な電圧に設定されることを特徴とする請求項７に記載の有機電界発光表示装置。
【請求項９】
前記走査駆動部は、前記走査信号が供給される期間のうちの一部の期間において前記制御信号を供給することを特徴とする請求項５に記載の有機電界発光表示装置。
【請求項１０】
前記走査駆動部は、前記ｉ番目の走査線に供給される走査信号と同時に、前記ｉ番目の制御線に前記制御信号を供給することを特徴とする請求項９に記載の有機電界発光表示装置。
【発明の詳細な説明】
【技術分野】
【０００１】
本発明は、画素及びこれを用いた有機電界発光表示装置に関し、特に、駆動トランジスタのしきい値電圧にかかわらず均一な輝度の映像を表示できるようにした画素及びこれを用いた有機電界発光表示装置に関する。
【背景技術】
【０００２】
近年、陰極線管（Ｃａｔｈｏｄｅ  Ｒａｙ  Ｔｕｂｅ）の短所である重量及び体積を減らすことが可能な各種平板表示装置が開発されている。平板表示装置には、液晶表示装置（Ｌｉｑｕｉｄ  Ｃｒｙｓｔａｌ  Ｄｉｓｐｌａｙ  Ｄｅｖｉｃｅ）、電界放出表示装置（Ｆｉｅｌｄ  Ｅｍｉｓｓｉｏｎ  Ｄｉｓｐｌａｙ  Ｄｅｖｉｃｅ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などがある。
【０００３】
平板表示装置のうち、有機電界発光表示装置は、電子と正孔との再結合により光を発生する有機発光ダイオードを用いて映像を表示する。このような有機電界発光表示装置は、速い応答速度を有し、かつ、低消費電力で駆動されるという長所がある。
【０００４】
図１は、従来の有機電界発光表示装置の画素を示す回路図である。図１において、画素に備えられるトランジスタは、ＮＭＯＳに設定される。
【０００５】
図１に示すように、従来の有機電界発光表示装置の画素４は、有機発光ダイオードＯＬＥＤと、データ線Ｄｍ及び走査線Ｓｎに接続され、有機発光ダイオードＯＬＥＤを制御するための画素回路２とを備える。
【０００６】
有機発光ダイオードＯＬＥＤのアノード電極は、画素回路２に接続され、カソード電極は、第２電源ＥＬＶＳＳに接続される。この有機発光ダイオードＯＬＥＤは、画素回路２から供給される電流に対応して、所定輝度の光を生成する。
【０００７】
画素回路２は、走査線Ｓｎに走査信号が供給されたとき、データ線Ｄｍに供給されるデータ信号に対応して、有機発光ダイオードＯＬＥＤに供給される電流量を制御する。このため、画素回路２は、第１電源ＥＬＶＤＤと有機発光ダイオードＯＬＥＤとの間に接続された第２トランジスタＭ２（すなわち、駆動トランジスタ）と、第２トランジスタＭ２、データ線Ｄｍ及び走査線Ｓｎの間に接続された第１トランジスタＭ１と、第２トランジスタＭ２のゲート電極と第２電極との間に接続されたストレージキャパシタＣｓｔとを備える。
【０００８】
第１トランジスタＭ１のゲート電極は、走査線Ｓｎに接続され、第１電極は、データ線Ｄｍに接続される。また、第１トランジスタＭ１の第２電極は、ストレージキャパシタＣｓｔの一方の端子に接続される。ここで、第１電極は、ソース電極及びドレイン電極のいずれかに設定され、第２電極は、第１電極とは異なる電極に設定される。例えば、第１電極がドレイン電極に設定されると、第２電極は、ソース電極に設定される。走査線Ｓｎ及びデータ線Ｄｍに接続された第１トランジスタＭ１は、走査線Ｓｎから走査信号が供給されたときにターンオンされ、データ線Ｄｍから供給されるデータ信号をストレージキャパシタＣｓｔに供給する。このとき、ストレージキャパシタＣｓｔは、データ信号に対応する電圧を充電する。
【０００９】
第２トランジスタＭ２のゲート電極は、ストレージキャパシタＣｓｔの一方の端子に接続され、第１電極は、第１電源ＥＬＶＤＤに接続される。また、第２トランジスタＭ２の第２電極は、ストレージキャパシタＣｓｔの他方の端子及び有機発光ダイオードＯＬＥＤのアノード電極に接続される。この第２トランジスタＭ２は、ストレージキャパシタＣｓｔに格納された電圧値に対応して、第１電源ＥＬＶＤＤから有機発光ダイオードＯＬＥＤを経由して第２電源ＥＬＶＳＳに流れる電流量を制御する。
【００１０】
ストレージキャパシタＣｓｔの一方の端子は、第２トランジスタＭ２のゲート電極に接続され、他方の端子は、有機発光ダイオードＯＬＥＤのアノード電極に接続される。このストレージキャパシタＣｓｔは、データ信号に対応する電圧を充電する。
【００１１】
このような従来の画素４は、ストレージキャパシタＣｓｔに充電された電圧に対応する電流を有機発光ダイオードＯＬＥＤに供給することにより、所定輝度の画像を表示する。しかしながら、このような従来の有機電界発光表示装置は、第２トランジスタＭ２のしきい値電圧のばらつきによって均一な輝度の映像を表示することができないという問題があった。
【００１２】
実際に、画素４の各々に第２トランジスタＭ２のしきい値電圧が異なるように設定された場合、画素４の各々は、同一のデータ信号に対応して、互いに異なる輝度の光を生成するため、均一な輝度の映像を表示することができない。
【先行技術文献】
【特許文献】
【００１３】
【特許文献１】韓国公開特許第２００７−０１１６３８９号公報
【発明の概要】
【発明が解決しようとする課題】
【００１４】
そこで、本発明の目的は、駆動トランジスタのしきい値電圧にかかわらず均一な輝度の映像を表示できるようにした画素及びこれを用いた有機電界発光表示装置を提供することである。
【課題を解決するための手段】
【００１５】
本発明の実施例による画素は、カソード電極が第２電源に接続される有機発光ダイオードと、第１電源から前記有機発光ダイオードを経由して前記第２電源に流れる電流量を制御する第１トランジスタと、データ線に接続され、ｉ（ｉは自然数）番目の走査線に走査信号が供給されたときにターンオンされる第２トランジスタと、前記第２トランジスタと前記第１トランジスタのゲート電極との間に接続され、ｉ＋１番目の走査線に走査信号が供給されたときにターンオンされる第３トランジスタと、前記第１トランジスタのゲート電極と基準電源との間に接続され、前記ｉ番目の走査線に前記走査信号が供給されたときにターンオンされる第４トランジスタと、前記有機発光ダイオードのアノード電極と初期電源との間に接続され、制御線に制御信号が供給されたときにターンオンされる第５トランジスタと、前記第２トランジスタ及び第３トランジスタの共通ノードと前記有機発光ダイオードのアノード電極との間に接続される第１キャパシタと、前記共通ノードと前記第１トランジスタのゲート電極との間に接続される第２キャパシタと、を備える。
【００１６】
好ましくは、前記第５トランジスタは、前記第２トランジスタがターンオンされる期間のうちの一部の期間においてターンオンされる。前記第５トランジスタは、前記第２トランジスタと同時にターンオンされる。前記基準電源は、前記初期電源より高い電圧に設定される。
【００１７】
本発明の実施例による有機電界発光表示装置は、走査線に走査信号を順次供給し、制御線に制御信号を順次供給するための走査駆動部と、データ線に前記走査信号と同期するようにデータ信号を供給するためのデータ駆動部と、前記走査線、制御線及びデータ線の交差部に位置する画素とを備え、ｉ（ｉは自然数）番目の水平ラインに位置する前記画素は、カソード電極が第２電源に接続される有機発光ダイオードと、第１電源から前記有機発光ダイオードを経由して前記第２電源に流れる電流量を制御する第１トランジスタと、データ線に接続され、ｉ番目の走査線に前記走査信号が供給されたときにターンオンされる第２トランジスタと、前記第２トランジスタと前記第１トランジスタのゲート電極との間に接続され、ｉ＋１番目の走査線に前記走査信号が供給されたときにターンオンされる第３トランジスタと、前記第１トランジスタのゲート電極と基準電源との間に接続され、前記ｉ番目の走査線に前記走査信号が供給されたときにターンオンされる第４トランジスタと、前記有機発光ダイオードのアノード電極と初期電源との間に接続され、ｉ番目の制御線に前記制御信号が供給されたときにターンオンされる第５トランジスタと、前記第２トランジスタ及び第３トランジスタの共通ノードと前記有機発光ダイオードのアノード電極との間に接続される第１キャパシタと、前記共通ノードと前記第１トランジスタのゲート電極との間に接続される第２キャパシタとを備える。
【００１８】
好ましくは、前記データ信号の電圧は、前記基準電源と同一または高い電圧に設定される。前記初期電源は、前記基準電源から前記第１トランジスタのしきい値電圧を減じた電圧より低い電圧に設定される。前記初期電源は、前記有機発光ダイオードがオフ可能な電圧に設定される。前記走査駆動部は、前記走査信号が供給される期間のうちの一部の期間において前記制御信号を供給する。前記走査駆動部は、前記ｉ番目の走査線に供給される走査信号と同時に、前記ｉ番目の制御線に前記制御信号を供給する。
【発明の効果】
【００１９】
本発明の画素及びこれを用いた有機電界発光表示装置によれば、駆動トランジスタのしきい値電圧のばらつきにかかわらず均一な輝度の映像を表示することができる。
【図面の簡単な説明】
【００２０】
【図１】従来の画素を示す回路図である。
【図２】本発明の実施例による有機電界発光表示装置を示す図である。
【図３】図２における画素の実施例を示す図である。
【図４】図３における画素の駆動方法を示すタイミング図である。
【図５】図３における画素の他の実施例を示す図である。
【発明を実施するための形態】
【００２１】
以下、本発明の属する技術分野における通常の知識を有する者が本発明を容易に実施できる好ましい実施例を、添付した図２ないし図５を参照して詳細に説明する。図２は、本発明の実施例による有機電界発光表示装置を示す図面である。
【００２２】
図２に示すように、本発明の実施例による有機電界発光表示装置は、走査線Ｓ１ないしＳｎ＋１、制御線ＣＬ１ないしＣＬｎ、及びデータ線Ｄ１ないしＤｍに接続されるように位置する画素１４０と、走査線Ｓ１ないしＳｎ＋１及び制御線ＣＬ１ないしＣＬｎを駆動するための走査駆動部１１０と、データ線Ｄ１ないしＤｍを駆動するためのデータ駆動部１２０と、走査駆動部１１０及びデータ駆動部１２０を制御するためのタイミング制御部１５０とを備える。
【００２３】
走査駆動部１１０は、タイミング制御部１５０から走査駆動制御信号ＳＣＳを受信する。走査駆動制御信号ＳＣＳを受信した走査駆動部１１０は、走査信号を生成し、生成された走査信号を走査線Ｓ１ないしＳｎ＋１に順次供給する。また、走査駆動部１１０は、制御信号を生成し、生成された制御信号を制御線ＣＬ１ないしＣＬｎに順次供給する。ここで、制御信号は、走査信号が供給される期間のうちの第１期間において走査信号と重畳するように供給される。例えば、ｉ（ｉは自然数）番目の走査線Ｓｉに走査信号が供給される期間のうちの第１期間においてｉ番目の制御線ＣＬｉに制御信号が供給される。制御信号は、走査信号と同じ極性（例えば、ハイ電圧）の電圧に設定される。
【００２４】
データ駆動部１２０は、タイミング制御部１５０からデータ駆動制御信号ＤＣＳを受信する。データ駆動制御信号ＤＣＳを受信したデータ駆動部１２０は、走査信号と同期するようにデータ線Ｄ１ないしＤｍにデータ信号を供給する。
【００２５】
タイミング制御部１５０は、外部から供給される同期信号に対応して、データ駆動制御信号ＤＣＳ及び走査駆動制御信号ＳＣＳを生成する。タイミング制御部１５０で生成されたデータ駆動制御信号ＤＣＳは、データ駆動部１２０に供給され、走査駆動制御信号ＳＣＳは、走査駆動部１１０に供給される。また、タイミング制御部１５０は、外部から供給されるデータＤａｔａをデータ駆動部１２０に供給する。
【００２６】
画素部１３０は、外部から第１電源ＥＬＶＤＤ、第２電源ＥＬＶＳＳ、基準電源Ｖｒｅｆ、及び初期電源Ｖｉｎｔを受けて各々の画素１４０に供給する。第１電源ＥＬＶＤＤ、第２電源ＥＬＶＳＳ、基準電源Ｖｒｅｆ、及び初期電源Ｖｉｎｔを受けた画素１４０の各々は、データ信号に対応する光を生成する。
【００２７】
ここで、第１電源ＥＬＶＤＤ、データ信号の電圧Ｖｄａｔａ、基準電源Ｖｒｅｆ、及び初期電源Ｖｉｎｔの電圧は、下記式１のように設定される。
【００２８】
【数１】
2010250260.tif 000003
【００２９】
上記式１を参照すると、基準電源Ｖｒｅｆは、データ信号の電圧Ｖｄａｔａと同一または低い電圧に設定される。また、初期電源Ｖｉｎｔは、基準電源Ｖｒｅｆより低い電圧に設定される。実際に、初期電源Ｖｉｎｔは、基準電源Ｖｒｅｆから駆動トランジスタのしきい値電圧を減じた電圧より低い電圧に設定される。一方、上記式１には含まれていないが、第２電源ＥＬＶＳＳは、有機発光ダイオードＯＬＥＤを経由して電流が流れることができるように十分に低い電圧に設定される。例えば、第２電源ＥＬＶＳＳは、基準電源Ｖｒｅｆより低い電圧に設定される。
【００３０】
一方、ｉ（ｉは自然数）番目の水平ラインに位置する画素１４０は、ｉ番目の走査線Ｓｉ、ｉ番目の制御線ＣＬｉ、及びｉ＋１番目の走査線Ｓｉ＋１に接続される。この画素１４０は、ＮＭＯＳ型の複数のトランジスタを備え、駆動トランジスタのしきい値電圧が補償される電流を有機発光ダイオードに供給する。
【００３１】
図３は、本発明の第１実施例による画素を示す図である。図３では、説明の便宜上、ｎ番目の水平ラインに位置し、第ｍデータ線Ｄｍに接続された画素１４０を示すものとする。
【００３２】
図３に示すように、本発明の第１実施例による画素１４０は、有機発光ダイオードＯＬＥＤと、データ線Ｄｍ、走査線Ｓｎ、Ｓｎ＋１、及び制御線ＣＬｎに接続され、有機発光ダイオードＯＬＥＤを制御するための画素回路１４２とを備える。
【００３３】
有機発光ダイオードＯＬＥＤのアノード電極は、画素回路１４２に接続され、カソード電極は、第２電源ＥＬＶＳＳに接続される。この有機発光ダイオードＯＬＥＤは、画素回路１４２から供給される電流に対応して、所定輝度の光を生成する。
【００３４】
画素回路１４２は、第ｎ走査線Ｓｎに走査信号が供給されたとき、第ｍデータ線Ｄｍに供給されるデータ信号及び第１トランジスタのしきい値電圧に対応する電圧を充電し、第ｎ＋１走査線Ｓｎ＋１に走査信号が供給されたときに充電された電圧に対応する電流を有機発光ダイオードＯＬＥＤに供給する。このため、画素回路１４２は、第１ないし第５トランジスタＭ１ないしＭ５、第１キャパシタＣ１及び第２キャパシタＣ２を備える。
【００３５】
第１トランジスタ（駆動トランジスタ）Ｍ１のゲート電極は、第１ノードＮ１に接続され、第１電極は、第１電源ＥＬＶＤＤに接続される。また、第１トランジスタＭ１の第２電極は、有機発光ダイオードＯＬＥＤのアノード電極（すなわち、第３ノードＮ３）に接続される。この第１トランジスタＭ１は、第１ノードＮ１に印加される電圧に対応して、有機発光ダイオードＯＬＥＤに供給される電流量を制御する。
【００３６】
第２トランジスタＭ２のゲート電極は第ｎ走査線Ｓｎに接続され、第１電極は、第ｍデータ線Ｄｍに接続される。また、第２トランジスタＭ２の第２電極は、第２ノードＮ２に接続される。この第２トランジスタＭ２は、第ｎ走査線Ｓｎに走査信号が供給されたときにターンオンされ、第ｍデータ線Ｄｍと第２ノードＮ２とを電気的に接続させる。
【００３７】
第３トランジスタＭ３のゲート電極は、第ｎ＋１走査線Ｓｎ＋１に接続され、第１電極は、第２ノードＮ２に接続される。また、第３トランジスタＭ３の第２電極は、第１ノードＮ１（すなわち、第１トランジスタＭ１のゲート電極）に接続される。この第３トランジスタＭ３は、第ｎ＋１走査線Ｓｎ＋１に走査信号が供給されたときにターンオンされ、第１ノードＮ１と第２ノードＮ２とを電気的に接続させる。
【００３８】
第４トランジスタＭ４のゲート電極は、第ｎ走査線Ｓｎに接続され、第１電極は、基準電源Ｖｒｅｆに接続される。また、第４トランジスタＭ４の第２電極は、第１ノードＮ１に接続される。この第４トランジスタＭ４は、第ｎ走査線Ｓｎに走査信号が供給されたときにターンオンされ、基準電源Ｖｒｅｆの電圧を第１ノードＮ１に供給する。
【００３９】
第５トランジスタＭ５のゲート電極は、第ｎ制御線ＣＬｎに接続され、第１電極は、第３ノードＮ３に接続される。また、第５トランジスタＭ５の第２電極は、初期電源Ｖｉｎｔに接続される。この第５トランジスタＭ５は、第ｎ制御線ＣＬｎに制御信号が供給されたときにターンオンされ、初期電源Ｖｉｎｔを第３ノードＮ３に供給する。
【００４０】
第１キャパシタＣ１及び第２キャパシタＣ２は、第１ノードＮ１と第３ノードＮ３との間に直列に接続される。また、第１キャパシタＣ１及び第２キャパシタＣ２の共通ノードは、第２トランジスタＭ２及び第３トランジスタＭ３の共通ノード（すなわち、第２ノードＮ２）に接続される。ここで、第２キャパシタＣ２及び第３トランジスタＭ３は、第１ノードＮ１と第２ノードＮ２との間に並列に接続される。
【００４１】
図４は、図３の画素を駆動するためのタイミング図である。
【００４２】
図３及び図４を関連づけて画素１４０の動作過程を詳細に説明すると、まず、第ｎ走査線Ｓｎに走査信号が供給され、走査信号が供給される期間のうちの第１期間において制御線ＣＬｎに制御信号が供給される。
【００４３】
走査線Ｓｎに走査信号が供給されると、第２トランジスタＭ２及び第４トランジスタＭ４がターンオンされる。第２トランジスタＭ２がターンオンされると、データ線Ｄｍからデータ信号が第２ノードＮ２に供給される。第４トランジスタＭ４がターンオンされると、基準電源Ｖｒｅｆが第１ノードＮ１に供給される。
【００４４】
制御線ＣＬｎに制御信号が供給されると、第５トランジスタＭ５がターンオンされる。第５トランジスタＭ５がターンオンされると、初期電源Ｖｉｎｔが第３ノードＮ３に供給される。ここで、初期電源Ｖｉｎｔは、有機発光ダイオードＯＬＥＤがオフ可能な電圧に設定され、これにより、有機発光ダイオードＯＬＥＤにおいて不要な光は生成されない。
【００４５】
この後、第２期間において、制御線ＣＬｎへの制御信号の供給が中断される。制御線ＣＬｎへの制御信号の供給が中断されると、第５トランジスタＭ５がターンオフされる。第５トランジスタＭ５がターンオフされると、第３ノードＮ３の電圧は、基準電源Ｖｒｅｆの電圧から第１トランジスタＭ１のしきい値電圧を減じた電圧まで上昇する。
【００４６】
より詳細に説明すると、第１期間において、第１ノードＮ１の電圧は、基準電源Ｖｒｅｆに設定され、第３ノードＮ３の電圧は、初期電源Ｖｉｎｔに設定される。ここで、初期電源Ｖｉｎｔの電圧は、基準電源Ｖｒｅｆの電圧から第１トランジスタＭ１のしきい値電圧を減じた電圧より低い電圧に設定される。したがって、第５トランジスタＭ５がターンオフされると、第３ノードＮ３の電圧は、基準電源Ｖｒｅｆの電圧から第１トランジスタＭ１のしきい値電圧を減じた電圧まで上昇する。
【００４７】
この場合、第２ノードＮ２と第１ノードＮ１との間、すなわち、第２キャパシタＣ２には、Ｖｄａｔａ−Ｖｒｅｆの電圧が充電され、第２ノードＮ２と第３ノードＮ３との間、すなわち、第１キャパシタＣ１には、Ｖｄａｔａ−Ｖｒｅｆ＋Ｖｔｈ（Ｍ１）の電圧が充電される。
【００４８】
この後、第ｎ走査線Ｓｎへの走査信号の供給が中断され、第２トランジスタＭ２及び第４トランジスタＭ４がターンオフされる。また、第ｎ＋１走査線Ｓｎ＋１に走査信号が供給され、第３トランジスタＭ３がターンオンされる。第３トランジスタＭ３がターンオンされると、第１ノードＮ１と第２ノードＮ２とが電気的に接続される。この場合、第２キャパシタＣ２の両端の電圧は０に設定され、第１トランジスタＭ１のゲート電極及びソース電極間の電圧Ｖｇｓ（Ｍ１）は、第１キャパシタＣ１に充電された電圧に設定される。すなわち、第１トランジスタＭ１のゲート電極及びソース電極間の電圧Ｖｇｓ（Ｍ１）は、下記式２のように設定される。
【００４９】
【数２】
2010250260.tif 000004
【００５０】
第１トランジスタＭ１のＶｇｓの電圧により、有機発光ダイオードＯＬＥＤに流れる電流量は、下記式３のように設定される。
【００５１】
【数３】
2010250260.tif 000005
【００５２】
上記式３を参照すると、有機発光ダイオードＯＬＥＤに流れる電流は、データ信号の電圧Ｖｄａｔａと基準電源Ｖｒｅｆとの差電圧によって決定される。ここで、基準電源Ｖｒｅｆは、固定された電圧であるため、有機発光ダイオードＯＬＥＤに流れる電流は、データ信号によって決定される。すなわち、本願発明においては、第１トランジスタＭ１のしきい値電圧のばらつきにかかわらず均一な輝度の映像を表示することができる。
【００５３】
一方、図３においては、トランジスタがＮＭＯＳで形成されたものとして示されているが、本発明はこれに限定されない。例えば、図３に示す画素は、図５のようにＰＭＯＳトランジスタに変更可能である。この場合、図４に示す波形の極性が反転して供給されることが異なるだけで、動作過程は同様に設定される。
【００５４】
以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能であるのはもちろんであり、斯かる変形や変更が、本発明の範囲に含まれることは言うまでもない。
【符号の説明】
【００５５】
１１０；走査駆動部
１２０；データ駆動部
１３０；画素部
１４０；画素
１４２；画素回路
１５０；タイミング制御部
ＯＬＥＤ；有機発光ダイオード
Ｍ１〜Ｍ５；第１ないし第５トランジスタ
Ｎ１〜Ｎ３；第１ないし第３ノード
Ｃ１、Ｃ２；第１キャパシタ、第２キャパシタ
【図１】
2010250260.tif 000006
【図２】
2010250260.tif 000007
【図３】
2010250260.tif 000008
【図４】
2010250260.tif 000009
【図５】
2010250260.tif 000010